(57)【要約】【課題】ストロボ光がオートフォーカス補助光を兼ねている場合、ストロボをバウンスさせると、一部もしくは全ての測距点がオートフォーカス補助光の照射範囲外となる場合がある。照射範囲外と気付かずに測距を行うと、被写体輝度の不足による測距精度の不足や測距不能が生じる原因となっていた。【解決手段】オートフォーカス補助光発光部のバウンス状態及び焦点距離の情報を用いて、複数の測距点の各々が補助光の照射範囲の領域内にあるか領域外にあるかを判定し、該判定結果に基づき、前記照明装置で照明可能な領域にある測距点を判別可能に表示する【選択図】  図１
2013156599.tif 000002
【特許請求の範囲】
【請求項１】
複数の測距点を有するオートフォーカス装置（２６）を備え、
オートフォーカスの測距実施時に被写体を照明する照明装置を備え、前記照明装置の発光部（５５）は回動可能に構成されている撮像装置において、
前記発光部の回動状態を検知する回動状態検知手段（５６）を有し、
撮影レンズの焦点距離を検知する焦点距離検知手段（１９）を有し、
前記回動状態検知手段（５６）の検知結果及び前記焦点距離検知手段（１９）の検出結果を用いて、
前記複数の測距点の各々が前記照明装置の照射範囲の領域内にあるか領域外にあるかを判定し、
該判定結果に基づき、前記照明装置の照射範囲内にある測距点を判別可能に表示することを特徴とする撮像装置。
【請求項２】
前記照明装置は撮影時に被写体を照明するストロボ発光装置であることを特徴とする請求項１に記載の撮像装置。
【請求項３】
オートフォーカスの測距点を自動で選択するモード時に、前記照射範囲内にある測距点の優先度を上げることを特徴とする請求項１又は請求項２に記載の撮像装置。
【請求項４】
オートフォーカスの測距点を手動で選択するモード時に、選択測距点の初期位置を前記照射範囲内にある測距点のうちの一つに設定することを特徴とする請求項１乃至請求項３の何れか１項に記載の撮像装置。
【発明の詳細な説明】
【技術分野】
【０００１】
本発明はカメラシステム、特に光照射機能を備えたカメラシステムに関する。
【背景技術】
【０００２】
写真撮影において、撮影条件によってはカメラから光を被写体に照射し撮影を行うことがある。主な光照射手段としてはストロボが挙げられる。ストロボ撮影においては、通常ストロボの照射方向をレンズ光軸とほぼ一致させる、いわゆる直射状態での使用を行うことが多いが、直射状態でのストロボ光を用いた撮影では得られない撮影効果を得るため、ストロボの照射方向を直射状態から変更させ、天井や壁などにストロボ光を反射させた光を用いて撮影を行う、いわゆるバウンス撮影が知られている。
しかしながら、バウンス撮影のためにストロボの照射方向を変更した場合、撮影前に照射範囲を知ることは困難である。
【０００３】
このような事情のもと、ストロボの照射方向をファインダに示すストロボ装置が提案されている。
【０００４】
特許文献１に記載されたストロボ装置では、ストロボ発光部と照射方向視認部材を連動させる連動駆動機構を有することで照射方向が分かるようになっている。
【先行技術文献】
【特許文献】
【０００５】
【特許文献１】特開平３−１３８６２８号公報
【発明の概要】
【発明が解決しようとする課題】
【０００６】
オートフォーカスカメラにおいては、被写体の輝度が不足している条件でのオートフォーカス測距を可能とするため、あるいは、オートフォーカスの測距精度向上のために、被写体を照明するオートフォーカス補助光を設ける場合がある。内蔵ストロボを備えるカメラにおいては、内蔵ストロボをオートフォーカス補助光として兼ねる構成が一般に採用されている。
【０００７】
前記構成の場合、バウンス撮影のためにストロボ発光部の照射方向を変更すると、ストロボの照射方向とレンズの焦点距離、被写体の距離によって、一部もしくは全ての測距点がオートフォーカス補助光の照射範囲外となる場合がある。照射範囲外と気付かずにオートフォーカス測距を行うと、被写体輝度の不足による測距精度の不足や測距不能が生じる原因となる。このような条件下で適切なオートフォーカス制御を行うためには、照明可能な測距点を考慮したオートフォーカス測距の実施が必要である。
【０００８】
特許文献１に開示された従来技術は、バウンス時のストロボの照射方向を示す構成について示しているが、その照射方向に対応したカメラの制御に関しては示されていない。
【課題を解決するための手段】
【０００９】
上記目的を達成するために、本発明のカメラシステムは、
複数の測距点を有するオートフォーカス装置を備え、
オートフォーカスの測距実施時に被写体を照明する照明装置を備え、前記照明装置の発光部は回動可能に構成されている撮像装置において、
前記発光部の回動状態を検知する回動状態検知手段を有し、
撮影レンズの焦点距離を検知する焦点距離検知手段を有し、
前記回動状態検知手段の検知結果及び前記焦点距離検知手段の検出結果を用いて、
前記複数の測距点の各々が前記照明装置の照射範囲の領域内にあるか領域外にあるかを判定し、
該判定結果に基づき、前記照明装置で照明可能な領域にある測距点を判別可能に表示することを特徴とする。
【発明の効果】
【００１０】
本発明によれば、バウンス撮影時に、照明可能な測距点を判別可能に表示することにより、照明可能な測距点を考慮した信頼性の高いオートフォーカス測距が可能となる。
【図面の簡単な説明】
【００１１】
【図１】本発明の実施形態に係るカメラシステムの構成を示す図である。
【図２】本発明の実施形態に係るカメラシステムの回路構成を示す図である。
【図３−１】バウンス時のストロボの照射範囲の一例を示す図である（その１）。
【図３−２】バウンス時のストロボの照射範囲の一例を示す図である（その２）。
【図４】本発明の実施形態に係るカメラシステムの動作を示すフローチャートである。
【図５−１】本発明の実施形態に係る測距点表示装置の表示例を示す図である（その１）。
【図５−２】本発明の実施形態に係る測距点表示装置の表示例を示す図である（その２）。
【図５−３】本発明の実施形態に係る測距点表示装置の表示例を示す図である（その３）。
【図６】本発明の実施形態に係る測距点表示装置の表示例を示す図である。
【発明を実施するための形態】
【００１２】
図１は本発明の一実施例に係わる、ストロボ内蔵一眼レフレックスカメラ（撮像装置）の構成を示す図である。
【００１３】
図１において、１はカメラ本体であり、その前面には撮像レンズ１１が装着される。
まず、カメラ本体１側の構成について説明する。 
【００１４】
２は主ミラーであり、ファインダ観察状態では、撮影光路内に斜設され、撮影状態では撮影光路外に退避する。また、主ミラー２はハーフミラーとなっており、撮影光路内に斜設されているときは、後述する焦点検出光学系に被写体からの光線の約半分を透過させる。
【００１５】
３はファインダ光学系の一部を構成する、撮像レンズ１１の予定結像面に配置されたピント板、４はファインダ光路変更用のペンタプリズムである。５は接眼レンズであり、撮影者はこの接眼レンズ５の後方にある窓からピント板３を観察することで、撮影画面を観察することができる。６は測光レンズであり、７はファインダ観察画面内の被写体輝度を測定するための測光センサである。
【００１６】
ピント板３の上方にはピント板３に近接して測距点表示装置４３が配置されている。測距点表示装置４３は透過型の液晶表示装置であり、ファインダ視野内に測距点をスーパーインポーズ表示する。
【００１７】
８はフォーカルプレーンシャッタ、９は撮像素子である。２５はサブミラーであり、主ミラー２と同様に、ファインダ観察状態では撮影光路内に斜設され、撮影状態では撮影光路外に退避する。このサブミラー２５は、斜設された主ミラー２を透過した光線を下方に折り曲げて、後述の焦点検出ユニット２６の方に導く。
【００１８】
２６は焦点検出ユニット（請求項のオートフォーカス装置に対応）である。焦点検出ユニット２６は焦点検出センサ２９を備え、いわゆる位相差検出方式によって撮像レンズ１１の焦点調節状態を検出し、その検出結果は撮像レンズの焦点調節機構を制御するカメラマイコン（後述）に送られる。
【００１９】
１０はカメラ本体１と撮像レンズ１１との通信インターフェイスとなるレンズマウント接点群である。
【００２０】
次に、撮像レンズ１１側の構成について説明する。
【００２１】
１８はフォーカスレンズ１２に連動する距離エンコーダであり、レンズのフォーカス位置を検出する。１９は不図示のズームリングに連動するズームエンコーダ（請求項の焦点距離検知手段に対応）であり、撮影レンズ１１の焦点距離を検出する。距離エンコーダ１８および、ズームエンコーダ１９の情報から撮影レンズの焦点距離およびフォーカス位置を得ることができる。
【００２２】
次に、内蔵ストロボの構成について説明する。この内蔵ストロボは、ベース部５４がカメラ本体１に対して収納位置と使用位置に第１の回動軸５２を中心に回動可能であり、図１では、使用位置の状態にある。ベース部５４の先端に、第２の回動軸５３を介して発光部５５が設けられている。この発光部５５内には、キセノン管３１、フレネルレンズ３２、反射板３３などが配置されている。
【００２３】
フレネルレンズ３２には、キセノン管３１から発光した光の一部を光ファイバー３７に導くライトガイド３２ａが一体に設けられている。３７は光ファイバーであり、一端をライトガイド３２ａに、他端を受光素子３８に取り付けられている。
【００２４】
内蔵ストロボとして、発光部５５を極力小型に形成するために受光素子３８は発光部の外部のカメラ本体１内に配置されている。
【００２５】
光ファイバー３７はキセノン管３１の発光量をモニターするために、キセノン管３１から発光した光の一部を受光素子３８に導く。これにより、キセノン管３１の予備発光および本発光の光量をモニターすることができる。
【００２６】
この内蔵ストロボはオートフォーカスの補助光を兼ねており、被写体が低輝度時に焦点調節状態を検出する際に、所定時間間欠発光させて被写体を照明するように制御される。
ベース部５４が使用位置にある状態において、発光部５５は第２の回動軸５３を中心にベース部に対して回動して、バウンス発光をすることが可能である。発光部５５のバウンス角度は所定の範囲内で任意に変更することが可能であり、バウンス角度検知スイッチ５６（請求項の回動状態検知手段に対応）で検知することが可能となっている。
【００２７】
次に、図２を用いて、カメラ本体１の回路構成について説明する。なお、図１と同じ部分には同一の符号を付し、その説明は省略する。
【００２８】
１０１はカメラマイコンであり、焦点検出回路１０５、測光回路１０６、シャッタ制御回路１０７、モータ制御回路１０８、液晶表示回路１１１およびストロボ回路２０１に接続されている。カメラマイコン１０１は、撮像レンズ１１内に配置されたレンズマイコン１１２とはレンズマウント接点群１０を介して信号伝達を行う。
【００２９】
焦点検出回路１０５は、カメラマイコン１０１からの信号に従って焦点検出センサ２９の蓄積制御と読み出し制御を行い、それぞれの画素情報をカメラマイコン１０１に出力する。カメラマイコン１０１はこの情報をＡ／Ｄ変換し、位相差検出法による焦点調節状態の検出を行う。なお、焦点調節状態の検出方法は、位相差検出法に限るものでは無く、公知の方法を用いればよいことは言うまでもない。そして、カメラマイコン１０１は、レンズマイコン１１２と信号のやりとりを行うことによって、撮像レンズ１１の焦点調節制御を行う。
【００３０】
測光回路１０６は、被写体の輝度信号を出力する。カメラマイコン１０１はこの輝度信号をＡ／Ｄ変換し、撮影の露出調節のための演算を行う。シャッタ制御回路１０７は、カメラマイコン１０１からの信号に従ってフォーカルプレーンシャッタ8を構成するシャッタ先幕駆動マグネットＭＧ−１およびシャッタ後幕駆動マグネットＭＧ−２の通電制御を行う。これにより、先幕および後幕が走行し、露光動作が行われる。モータ制御回路１０８は、カメラマイコン１０１からの信号に従ってモータＭを制御することにより、主ミラー２のアップダウンおよびシャッタチャージなどを行う。
【００３１】
５６は発光部５５のバウンス角度を検知するバウンス角度検知スイッチである。ＳＷ１は、不図示のレリーズボタンの第１ストローク（半押し）操作でオンし、測光、オートフォーカスを開始させるスイッチである。ＳＷ２は、レリーズボタンの第２ストローク（全押し）操作でオンし、シャッタ走行、すなわち露光動作を開始させるスイッチである。
【００３２】
上記のバウンス角度検知スイッチ５６、ＳＷ１、ＳＷ２、および、その他不図示の各操作部材の状態信号は、カメラマイコン１０１が読み取る。
【００３３】
液晶表示回路１１１は、ファインダ内情報表示装置２４と外部情報表示装置４２、測距点表示装置４３をカメラマイコン１０１からの信号に従って制御する。
【００３４】
ファインダ内情報表示装置２４はファインダ内にシャッタ速度、絞り値などの露出情報を表示する液晶表示装置である。外部情報表示装置４２はシャッタ速度や絞り値などの露出情報や、撮影モードや記録モード等の各種設定を外部表示する液晶表示装置である。測距点表示装置４３はファインダ視野内に測距点をスーパーインポーズ表示する透過型の液晶表示装置である。測距点表示装置４３の表示形態の詳細については後述する。
【００３５】
次に、撮像レンズ１１内の回路構成について説明する。
【００３６】
カメラ本体１と撮像レンズ１１とは、上述したようにレンズマウント接点群１０を介して相互に電気的に接続される。
【００３７】
レンズマイコン１１２は、これらのレンズマウント接点群１０を介してカメラマイコン１０１と接続され、カメラマイコン１０１からの信号に応じてフォーカス駆動モータ１６および絞り駆動モータ１７を動作させ、撮像レンズ１１の焦点調節と絞り１５の制御を行う。
【００３８】
１８は距離エンコーダであり、フォーカスレンズ１２の位置情報を読み取ってレンズマイコン１１２に入力し、撮影レンズ１１のフォーカス位置の情報に変換され、カメラマイコン１０１に伝達される。
【００３９】
１９はズームエンコーダであり、不図示のズームリングの位置情報を読み取ってレンズマイコン１１２に入力し、撮影レンズ１１の焦点距離の情報に変換され、カメラマイコン１０１に伝達される。
【００４０】
５０は 光検出器であり、５１はパルス板であり、レンズマイコン１１２がこれらを用いてパルス数をカウントすることによりフォーカスレンズの駆動情報を得る。
【００４１】
１１４は電源電池であり、１１３は電源回路である。電源回路１１３は、カメラマイコン１０１によって制御され、電源電池１１４の電源を複数の電圧の電源に変換して出力する。
【００４２】
３１はストロボ発光部を構成するキセノン管であり、ストロボ回路２０１に接続されている。ストロボ回路２０１はカメラマイコン１０１によって制御され、発光エネルギーの蓄積、ストロボの発光量制御、ストロボ発光の実行を行う。
【００４３】
図３は、発光部５５を角度θ上方に回動している状態でのストロボの照射範囲を示す図である。図３−１は前記状態のカメラを側面からみた場合のストロボの照射範囲を示す図であり、Ａがストロボの照射範囲を示している。この照射範囲Ａはストロボの配光角とバウンス角度θにより求められる。
【００４４】
図３−２は前記状態でのファインダ視野内におけるストロボの照射範囲を示す図である。ファインダ視野６１内の上方はストロボの照射範囲内であり、下方はストロボの照射範囲外となっている。ファインダ視野６１のうち、前記照射範囲内の領域を６１ａ、前記照射範囲外の領域を６１ｂと区別する。この領域６１ａは前述のストロボ照射範囲A、および撮影レンズ１１の焦点距離ＦＬ、カメラから被写体までの距離Ｄにより求められる。
【００４５】
６２は測距点の位置を示す測距点表示であり、測距点表示装置４３によりファインダ視野内にスーパーインポーズ表示される。図３−２では説明のために全測距点を同様に表示している。図３−２の例で示されるように、バウンス状態では一部あるいは全ての測距点が前記照射範囲外の領域６１ｂに含まれる場合がある。即ち、バウンス状態では一部あるいは全ての測距点がオートフォーカスの補助光の照射範囲外となる場合がある。
【００４６】
次に本発明のカメラの動作について説明する。図４は本発明の実施形態に係るカメラシステムの動作を示すフローチャートである。
【００４７】
まず、Ｓ１０１において、ズームエンコーダ１９の出力より、撮影レンズ１１の焦点距離ＦＬを取得する。
【００４８】
次に、Ｓ１０２において、バウンス角度検知スイッチ５６の出力より、ストロボ発光部５５のバウンス角度θを取得する。
【００４９】
次に、Ｓ１０３において、被写体の距離Ｄを設定する。
【００５０】
具体的には、まず、焦点検出センサ２９から画素情報を読みだし、焦点調節状態の検出を行う。焦点調節状態が検出できた場合は、その検出結果より被写体距離を算出する。
【００５１】
被写体輝度の不足などにより、焦点調節状態が検出できなかった場合は、撮影条件や装着レンズを考慮して、被写体距離Ｄとして適当な定数を自動的に設定する。
【００５２】
また、焦点調節状態が検出できなかった場合は、被写体距離Ｄを手動で設定するようにしてもよい。
【００５３】
次に、Ｓ１０４において、各測距点がストロボの照射範囲の領域内にあるか領域外にあるかを判定する。
【００５４】
照射範囲の領域は前述のストロボ照射範囲A、および撮影レンズ１１の焦点距離ＦＬ、カメラから被写体までの距離Ｄより求められ、各測距点の座標がその領域内にあるか領域外にあるかを判定する。
【００５５】
Ｓ１０５において、測距点表示装置４３に、ストロボの照射範囲内の測距点と照射範囲外の測距点を判別可能に表示する。
【００５６】
図５はＳ１０５における測距点表示装置４３の表示例を示す図である。
【００５７】
図５−１は全測距点がストロボの照射範囲内の場合、図５−２は一部の測距点がストロボの照射範囲内の場合、図５−３は全測距点がストロボの照射範囲外の場合の測距点表示の状態をそれぞれ示している。図５に示すように、ストロボの照射範囲内の測距点６２ａは大きな矩形の枠を表示し、ストロボの照射範囲外の測距点６２ｂは小さな矩形の枠を表示することにより、ストロボの照射範囲内にある測距点を判別可能に表示している。
【００５８】
本実施例では測距点表示の矩形の大小により、測距点がストロボの照射範囲内にあるか照射範囲外にあるかを判別可能に表示しているが、これにとらわれるものではなく、判別のための表示としては種々の形態をとることが可能である。
【００５９】
次に、Ｓ１０６において、ストロボの照射範囲内に少なくとも一つの測距点があるか否かを判別する。ストロボの照射範囲内に少なくとも一つの測距点があればＳ１０７に進み、なければ本フローを終了する。
【００６０】
Ｓ１０７において、測距点の選択モードが自動選択モードか任意選択モードかを判別する。ここで、自動選択モードとは、ピントを合わせる測距点をカメラが自動的に選択するモードである。また、任意選択モードとはピントを合わせる測距点を撮影者が任意に選択するモードである。測距点の選択モードが自動選択モードであればＳ１０８に進み、任意選択モードであればＳ１０9に進む。
【００６１】
Ｓ１０８では、測距点自動選択処理の際の各測距点の優先度を設定する。ここで、ストロボの照射範囲内の測距点の優先度は高く、照射範囲外の測距点の優先度は低く設定する。本処理実施後、本フローを終了する。
【００６２】
Ｓ１０９では、任意選択する測距点の初期位置を設定して、本処理を終了する。ここで、初期位置として選択する測距点はストロボの照射範囲内の測距点のうち、中央に一番近い測距点とする。
【００６３】
図６はＳ１０９における測距点表示装置４３の表示例を示す図である。
【００６４】
選択測距点６２ａは２重の矩形で表示される。図６に示すように、選択測距点６２ａは初期位置として、ストロボの照射範囲内の測距点のうち、中央に一番近い測距点が選択されている。本処理実施後、本フローを終了する。
【００６５】
以上実施例によれば、撮影者はファインダ内の表示情報により、バウンス撮影時にオートフォーカス補助光が照射できる範囲内にある測距点を確認することができる。また、測距点自動選択モード時には、ストロボの照射範囲内の測距点の優先度は高く、照射範囲外の測距点の優先度は低く設定されることにより、自動選択された測距点の被写体輝度不足による測距不能や合焦精度の低下を防ぐことが可能となる。また、測距点任意選択モード時は初期位置として選択する測距点をストロボの照射範囲内の測距点とすることにより、ストロボの照射範囲内の測距点の選択を促し、選択された測距点の被写体輝度不足による測距不能や合焦精度の低下を防ぐことが可能となる。
【００６６】
以上、本発明の好ましい実施形態について説明したが、本発明はこれらの実施形態に限定されず、その要旨の範囲内で種々の変形及び変更が可能である。
【符号の説明】
【００６７】
１ カメラ本体
２      主ミラー
３ ピント板
４ ペンタプリズム
５ 接眼レンズ
６ 測光レンズ
７ 測光センサ
８ フォーカルプレーンシャッタ
９ 撮像素子
１０    レンズマウント接点群
１１    撮影レンズ
１２ フォーカスレンズ
１８ 距離エンコーダ
１９ ズームエンコーダ
２４    ファインダ内情報表示装置
２５ サブミラー
２６ 焦点検出ユニット
２９ 焦点検出センサ
３１    キセノン管
３２ フレネルレンズ
３２ａ ライトガイド
３３ 反射板
３７ 光ファイバー
３８    受光素子
４２    外部情報表示装置
４３    測距点表示装置
５０    光検出器
５１    パルス板
５２ 第１の回動軸
５３ 第２の回動軸
５４ ベース部
５５ 発光部
５６ バウンス角度検知スイッチ
６１    ファインダ視野
６１ａ  ファインダ視野内ストロボ照射範囲内領域
６１ｂ  ファインダ視野内ストロボ照射範囲外領域
６２    測距点
１０１  カメラマイコン
１０５  焦点検出回路
１０６  測光回路
１０７  シャッタ制御回路
１０８  モータ制御回路
１１１  液晶表示回路
１１２  レンズマイコン
１１３  電源回路
１１４  電源電池
２０１  ストロボ回路
【図１】
2013156599.tif 000003
【図２】
2013156599.tif 000004
【図３−１】
2013156599.tif 000005
【図３−２】
2013156599.tif 000006
【図４】
2013156599.tif 000007
【図５−１】
2013156599.tif 000008
【図５−２】
2013156599.tif 000009
【図５−３】
2013156599.tif 000010
【図６】
2013156599.tif 000011